(57)【要約】【課題】扉に固定される部分が扉の壁面から浮き上がった状態で固定されることのないラッチ錠のハンドルを提供する。【解決手段】本発明に係るラッチ錠１のハンドル４，４１は、扉２に固定される第１台座８，８０と、該第１台座から所定間隔を空けて扉２に固定される第２台座９，８１と、扉２との間に操作空間３５，８２が形成されるように第１台座と第２台座とを連結するグリップ１０，８３と、該グリップに対して近接離間する方向に回転可能に支持されるレバー６，６４と、ラッチボルトを進退させる作動片１０５，１０６に係合可能に設けられ、レバーの回転に伴って該作動片を移動させるラッチバー７，４５と、を備え、グリップは、第１台座と第２台座のいずれか一方の台座に固定されていると共に他方の台座に軸支されていることを特徴とする。【選択図】図１
2017179702.tif 000002
【特許請求の範囲】
【請求項１】
扉の木口に対して進退可能に設けられるラッチボルトによって該扉の閉止状態を保持するラッチ錠のハンドルであって、
前記扉の壁面に固定される第１台座と、
該第１台座から所定間隔を空けて前記壁面に固定される第２台座と、
前記扉の壁面との間に操作空間が形成されるように前記第１台座と前記第２台座とを連結するグリップと、
該グリップに対して近接離間する方向に回転可能に支持されるレバーと、
前記ラッチボルトを進退させる作動片に係合可能に設けられ、前記レバーの回転に伴って該作動片を移動させるラッチバーと、
を備え、前記グリップは、前記第１台座と前記第２台座のいずれか一方の台座に固定されていると共に他方の台座に軸支されていることを特徴とするラッチ錠のハンドル。
【請求項２】
前記第１台座と前記第２台座はそれぞれ上下に離間して配設され、前記ラッチバーは上側の前記第１台座に設けられ、前記グリップは上端部が前記第１台座に固定されていると共に下端部が前記第２台座に軸支されていることを特徴とする請求項１に記載のラッチ錠のハンドル。
【請求項３】
前記第２台座の前記壁面に対向する面の反対側の面に係合凹部が形成され、
前記グリップの端部には該係合凹部に嵌合可能な係合凸部が前記壁面側に突出するように形成され、
前記グリップは、該係合凸部が該係合凹部に係合した状態で前記壁面に対して平行な横軸によって前記第２台座に支持されていることを特徴とする請求項２に記載のラッチ錠のハンドル。
【請求項４】
前記グリップの前記操作空間を臨む側の面にレバー挿入部が凹設され、
前記レバーは、該レバー挿入部に配設され、上部の回転軸を中心として前記壁面に対して近接離間する方向に回転可能に設けられ、該壁面に近接する方向に回転した時に少なくとも一部が前記グリップから該壁面側に突出するように付勢されていることを特徴とする請求項１〜３のいずれかの請求項に記載のラッチ錠のハンドル。
【請求項５】
前記グリップの前記操作空間を臨む面とは反対側の面にレバー挿入部が凹設され、
前記レバーは、該レバー挿入部に設けられ、上部の回転軸を中心として前記壁面に対して近接離間する方向に回転可能に設けられ、該壁面に離間する方向に回転した時に少なくとも一部が前記グリップから前記操作空間の反対側に突出するように付勢されていることを特徴とする請求項１〜３のいずれかの請求項に記載のラッチ錠のハンドル。
【発明の詳細な説明】
【技術分野】
【０００１】
本発明は、ラッチボルトによって扉の閉止状態を保持するラッチ錠のハンドルに関する。
【背景技術】
【０００２】
従来、扉の閉止状態（仮締まり状態）を保持するための錠構造として、所謂「ラッチ錠」が周知である。このラッチ錠は、扉から突出させたラッチボルト等のラッチを、扉枠等に設けられたストライクに係合させることで、扉の閉止状態を保持するものである。
【０００３】
従来のラッチ錠としては、扉の壁面に固定されるハンドルと、ハンドルに対して上端部を支点として回転可能に支持されるレバーと、扉の木口に対して進退可能なラッチボルトと、を備えたものが知られている（例えば、特許文献１参照）。この種のラッチ錠では、レバーが押圧又は牽引操作されていない時は、扉の木口からのラッチボルトの退避が規制されることで扉の閉止状態が保持される一方、レバーが押圧又は牽引操作されると、扉の木口からのラッチボルトの退避が可能となることで扉を開放できるようになっている。
【先行技術文献】
【特許文献】
【０００４】
【特許文献１】特開２０１３−１８９８４３号公報
【発明の概要】
【発明が解決しようとする課題】
【０００５】
しかしながら、上記した従来のラッチ錠のハンドルは、扉の壁面に固定される上下両端部の固定部と、各固定部を連結して上下に延びる連結部と、が一体に形成されているため、扉の反りや固定部の取り付け時の締め付け等によって固定部を取り付ける壁面が変形している場合、固定部が壁面に密着せずに浮き上がった状態で固定され、固定部と壁面との間に隙間が生じてしまうという問題がある。また、扉やハンドルに製造誤差がある場合にも同様の問題が発生し、このような問題はハンドルの寸法が大きい場合には、より深刻となる。
【０００６】
本発明は、上記した課題を解決すべくなされたものであり、扉が変形していたり或いは扉や扉のハンドルに製造誤差が生じていたりした場合であっても、扉の壁面に固定される部分が扉の壁面から浮き上がった状態で固定されることのないラッチ錠のハンドルを提供することを目的とする。
【課題を解決するための手段】
【０００７】
上記した目的を達成するため、本発明は、扉の木口に対して進退可能に設けられるラッチボルトによって該扉の閉止状態を保持するラッチ錠のハンドルであって、前記扉の壁面に固定される第１台座と、該第１台座から所定間隔を空けて前記壁面に固定される第２台座と、前記扉の壁面との間に操作空間が形成されるように前記第１台座と前記第２台座とを連結するグリップと、該グリップに対して近接離間する方向に回転可能に支持されるレバーと、前記ラッチボルトを進退させる作動片に係合可能に設けられ、前記レバーの回転に伴って該作動片を移動させるラッチバーと、を備え、前記グリップは、前記第１台座と前記第２台座のいずれか一方の台座に固定されていると共に他方の台座に軸支されていることを特徴とする。
【０００８】
本発明に係るラッチ錠のハンドルにおいて、前記第１台座と前記第２台座はそれぞれ上下に離間して配設され、前記ラッチバーは上側の前記第１台座に設けられ、前記グリップは上端部が前記第１台座に固定されていると共に下端部が前記第２台座に軸支されていることを特徴とする。
【０００９】
本発明に係るラッチ錠のハンドルにおいて、前記第２台座の前記壁面に対向する面の反対側の面に係合凹部が形成され、前記グリップの端部には該係合凹部に嵌合可能な係合凸部が前記壁面側に突出するように形成され、前記グリップは、該係合凸部が該係合凹部に係合した状態で前記壁面に対して平行な横軸によって前記第２台座に支持されていることを特徴とする。
【００１０】
本発明に係るラッチ錠のハンドルにおいて、前記グリップの前記操作空間を臨む側の面にレバー挿入部が凹設され、前記レバーは、該レバー挿入部に配設され、上部の回転軸を中心として前記壁面に対して近接離間する方向に回転可能に設けられ、該壁面に近接する方向に回転した時に少なくとも一部が前記グリップから該壁面側に突出するように付勢されていることを特徴とする。
【００１１】
本発明に係るラッチ錠のハンドルにおいて、前記グリップの前記操作空間を臨む面とは反対側の面にレバー挿入部が凹設され、前記レバーは、該レバー挿入部に設けられ、上部の回転軸を中心として前記壁面に対して近接離間する方向に回転可能に設けられ、該壁面に離間する方向に回転した時に少なくとも一部が前記グリップから前記操作空間の反対側に突出するように付勢されていることを特徴とする。
【発明の効果】
【００１２】
本発明によれば、グリップが他方の台座に軸支されており、二分割構造となっているため、扉の壁面が変形していたり或いは扉やハンドルに製造誤差が生じていたりした不具合があったとしても、グリップの軸支構造によってその不具合を吸収することができる。そのため、台座が壁面から浮き上がった状態で固定されるのを防止することができ、施工性や見栄えを向上させることができる等、種々の優れた効果を得ることができる。
【図面の簡単な説明】
【００１３】
【図１】本発明の実施の形態におけるラッチ錠を示す側断面図である。
【図２】図１のＡ−Ａ断面図である。
【図３】本発明の実施の形態における室外側ハンドルの下端部を示す正面図である。
【図４】本発明の実施の形態における室外側ハンドルの第２台座の本体部を示す正面図である。
【図５】図４のＣ−Ｃ断面図である。
【図６】図５のＤ−Ｄ断面図である。
【図７】本発明の実施の形態における室外側ハンドルの第２台座のアームホルダーを示す正面図である。
【図８】図７のＥ−Ｅ断面図である。
【図９】図８のＦ−Ｆ断面図である。
【図１０】図１のＢ−Ｂ断面図である。
【発明を実施するための形態】
【００１４】
以下、図１〜図１０を参照しつつ、本発明の実施の形態について説明する。図１は本発明の実施の形態におけるラッチ錠を示す側断面図、図２は図１のＡ−Ａ断面図、図３は本発明の実施の形態における室外側ハンドル４の下端部を示す正面図、図４は本発明の実施の形態における室外側ハンドルの第２台座の本体部を示す正面図、図５は図４のＣ−Ｃ断面図、図６は図５のＤ−Ｄ断面図、図７は本発明の実施の形態における室外側ハンドルの第２台座のアームホルダーを示す正面図、図８は図７のＥ−Ｅ断面図、図９は図８のＦ−Ｆ断面図、図１０は図１のＢ−Ｂ断面図である。
【００１５】
まず、図１〜図９を参照しながら、本発明の実施の形態に係るラッチ錠１のうち、扉２の室外側（図１及び図２における左側）に設けられる部材の構成について説明する。なお、以下の説明では、便宜上、図１及び図２における左側を扉２の室外側に設けられる部材の前側（正面側）とし、図１及び図２における右側を扉２の室外側に設けられる部材の後側（背面側）とする。
【００１６】
図１及び図２に示されているように、扉２の室外側には、扉２の外壁面３に取り付けられる室外側ハンドル４と、室外側ハンドル４の上端後側に配置される室外側ブラケット５と、室外側ハンドル４の上部に支持される室外側レバー６と、室外側レバー６に連結される室外側ラッチバー７と、が設けられている。以下、これらの部材について順番に説明する。
【００１７】
室外側ハンドル４は、外壁面３に固定される上側の第１台座８と、第１台座８から下方に所定間隔を空けて外壁面３に固定される下側の第２台座９と、外壁面３との間に操作空間３５が形成されるように第１台座８と第２台座９とを連結するグリップ１０と、を備えている。
【００１８】
第１台座８の下端からグリップ１０の上下方向中央に亘る部分には、操作空間３５を臨む側の面に、上下方向に長い形状のレバー挿入部１１が後方から凹設されている。また、第２台座９の上部と下部には、扉２を貫通する取付柱３１がそれぞれ固定されている。
【００１９】
グリップ１０の上端部は第１台座８と一体に設けられ、グリップ１０の下端部は第２台座９に支持されている。グリップ１０の下端部には後方に突出するように係合凸部３２が形成され、この係合凸部３２には横孔３３が左右方向に穿設されている。
【００２０】
第２台座９は、外壁面３に固定される本体部３４と、前方から本体部３４に固定されるアームホルダー３５と、を備えている。図４〜図６に良く示されているように、本体部３４には、上端部から中央部に掛けて、外周部３６より凹んだ位置に段差部３７が形成されている。この段差部３７には、中央に係合凹部としての矩形孔３８が形成され、矩形孔３８を挟んで上下に対向する位置にそれぞれ固定孔３９が形成されている。また、本体部３４には、矩形孔３８の下方に円形状の錠孔７０が形成されている。
【００２１】
図７〜図９に良く示されているように、アームホルダー３５は、コの字状断面を有しており（特に図９参照）、本体部３４の段差部３７上に配置される上面部７１と、上面部７１の左右側縁部からそれぞれ外壁面３側に直角に屈曲して形成される左右側面部７２と、により構成されている。
【００２２】
上面部７１の上下方向中央部より下方位置には、矩形孔３８の一部分に重合可能なように矩形状の開口７３が形成され、この開口７３にグリップ１０の係合凸部３２が挿通可能となっている。上面部７１の上下端部には、固定孔３９に対向する位置にそれぞれ丸孔７４が穿設され、本体部３４の背面側から各固定孔３９及び各丸孔７４に固定ネジ７５（図１参照）を螺入することでアームホルダー３５は本体部３４に固定される。
【００２３】
左右側面部７２は、それぞれ、矩形孔３８に嵌装可能に形成され、左右側面部７２には、開口７３の中心に対応する位置に円形の軸孔７６が穿設されている。この軸孔７６は係合凸部３２の横孔３３（図１参照）に対応した位置に設けられており、係合凸部３２を矩形孔３８（係合凹部）に係合し、横孔３３及び軸孔７６に横軸７７（図１及び図３参照）を挿通させることで、グリップ１０の下端部が第２台座９に軸支されている。
【００２４】
再び、図１及び図２を参照すると、室外側ブラケット５は、室内側ハンドル４のレバー挿入部１１の上部後側に収容されている。室外側ブラケット５は、上下方向に延びる後面板１２と、後面板１２の両側から前方に屈曲して互いに平行を成す左右一対の側板１３と、を備えている。後面板１２の上部と下部には、扉２を貫通する取付柱２８がそれぞれ固定されている。後面板１２の上部と下部は、固定ネジ１４を介して室外側ハンドル４の座面１５に固定されている。後面板１２の上下方向中央部には、ブラケット挿通孔１６が穿設されている。
【００２５】
室外側ブラケット５の各側板１３間には、上下方向中央部に室外側ラッチバー７の回転軸１７が架設され、上部に室外側レバー６の回転軸１８が架設されている。また、各側板１２には、室外側ラッチバー７の回転軸１７の下方に、略矩形状の通孔１９がそれぞれ開口されている。
【００２６】
室外側レバー６は、上下方向に長い形状を成しており、室外側ハンドル４のレバー挿入部１１に挿入されている。室外側レバー６の上部には、レバー側取付部２０が設けられている。レバー側取付部２０の上部には、レバー側軸孔（図示省略）が設けられ、このレバー側軸孔に室外側レバー６の回転軸１８が貫挿されている。これにより、室外側レバー６は、その回転軸１８を中心としてグリップ１０に近接離間する前後方向に回転可能な状態で、室外側ハンドル４に支持される。また、室外側レバー６の下部後側６ａは室外側レバー６が後側に回転した状態（図１の実線参照）で室外側ハンドル４の後側に突出するように設けられている。
【００２７】
レバー側取付部２０の上下方向中央部には、横長孔２１が穿設され、この横長孔２１に室外側ラッチバー７の回転軸１７の一端部が遊嵌されている。レバー側取付部２０の下部には、回転軸１７，１８と平行を成すように軸状部２２が挿着されており、この軸状部２２の両端部は通孔１９に遊嵌されている。
【００２８】
室外側ラッチバー７は、縦長で平面視逆コの字状のラッチバー側取付部２４と、このラッチバー側取付部２４の上部から後方に向かって延設される横長板形状の突起片２５と、を備えている。
【００２９】
ラッチバー側取付部２４の上部には、ラッチバー側軸孔（図示省略）が設けられ、このラッチバー側軸孔に室外側ラッチバー７の回転軸１７が貫挿されている。ラッチバー側取付部２４の下部には、軸状部２２に係合可能な挿通孔２３が穿設され、この挿通孔２３に軸状部２２の両端部が遊挿されている。これにより、室外側ラッチバー７は室外側レバー６の回転に伴って、回転軸１７を中心として前後方向に回転可能な状態で室外側ハンドル４に支持される。
【００３０】
ラッチバー側取付部２４の内部には収容空間２６が形成され、この収容空間２６にはねじりコイルバネ２７が収容されている。ねじりコイルバネ２７は、室外側ラッチバー７の回転軸１７の外周に巻回されており、室外側レバー６を後側に付勢している。突起片２５は、室外側ブラケット５の後面板１２に形成されたブラケット挿通孔１６に挿通されて扉２内に挿入されている。
【００３１】
次に、図１及び図２を参照しながら、本発明の実施の形態に係るラッチ錠１のうち、扉２の室内側（図１及び図２における右側）に設けられる部材の構成について説明する。なお、以下の説明では、便宜上、図１及び図２における右側を扉２の室内側に設けられる部材の前側（正面側）とし、図１及び図２における左側を扉２の室内側に設けられる部材の後側（背面側）とする。
【００３２】
扉２の室内側には、扉２の内壁面４０に固定される室内側ハンドル４１と、室内側ハンドル４１の上端後側に配置される室内側裏板４２と、室内側裏板４２の前側に配置される室内側ブラケット４３と、室内側ハンドル４１の上部に支持される室内側レバー４４と、室内側レバー４４に連結される室内側ラッチバー４５と、が設けられている。以下、これらの部材について順番に説明する。
【００３３】
室外側ハンドル４１は、内壁面４０に固定される上側の第１台座８０と、第１台座８０から下方に所定間隔を空けて内壁面４０に固定される下側の第２台座８１と、内壁面４０との間に操作空間８２が形成されるように第１台座８０と第２台座８１とを連結するグリップ８３と、を備えている。
【００３４】
第１台座８０の下端からグリップ８３の上下方向中央に亘る部分には、操作空間８２を臨む側の面に、上下方向に長い形状のレバー挿入部８４が後方から凹設されている。
【００３５】
グリップ８３の上端部は第１台座８０と一体に設けられ、グリップ８３の下端部は第２台座８１に支持されている。第２台座８１には係合凹部８５が形成され、グリップ８３の下端部には係合凹部８５に嵌合可能な係合凸部８６が後方に突出するように形成されている。グリップ８３の下端部は、係合凸部８６が係合凹部８５に係合した状態で横軸８７を挿通させることで、第２台座８１に軸支されている。なお、グリップ８３の下端部を第２台座８１に軸支させる構造は、上記した室外側ハンドル４と同様であるため、ここでの詳細な説明は省略する。
【００３６】
室内側裏板４２は、上下方向に延びる固定板４６と、固定板４６の両側から前方に向かってそれぞれ屈曲される一対の屈曲板４７と、を備えている。固定板４６の上下は、各取付柱２８の室内側の端部に固定ネジ４８を介して固定され、固定板４６の上下方向中央部には、裏板側挿通孔４９が穿設されている。また、各屈曲板４７には、それぞれさらに前方に向かって延びる固定片５０が形成され、各固定片５０は固定ネジ５１を介して室内側ハンドル４１に固定されている。
【００３７】
室内側ブラケット４３は、室内側ハンドル４１のレバー挿入部８４の上部後側に収容されている。室内側ブラケット４３は、上下方向に延びる後面板５２と、後面板５２の両側から前方に屈曲して互いに平行を成す左右一対の側板５３と、を備えている。後面板５２の上部と下部は、固定ネジ５４を介して室内側ハンドル４１の座面５５に固定されている。後面板５２の上下方向中央部には、ブラケット挿通孔５６が穿設されている。
【００３８】
室内側ブラケット４３の各側板５３間には、上部に室内側レバー４４の回転軸５７が架設され、下部に室内側ラッチバー４５の回転軸５８が架設されている。また、室内側ブラケット４３の各側板５３には、室内側レバー４４の回転軸５７と室内側ラッチバー４５の回転軸５８の間の上下方向中央部に略矩形状の通孔５９が開口されている。
【００３９】
室内側レバー４４は、上下方向に長い形状を成しており、室内側ハンドル４１のレバー挿入部８４に挿入されている。室内側レバー４４の上部には、レバー側取付部６０が設けられている。レバー側取付部６０の上部には、レバー側軸孔（図示省略）が設けられ、このレバー側軸孔に室内側レバー４４の回転軸５７が貫挿されている。これにより、室内側レバー４４は、その回転軸５７を中心として前後方向に回転可能な状態で、室内側ハンドル４１に支持される。また、室内側レバー４４の下部後側４４ａは室内側レバー４４が前側に回転した状態（図１の実線参照）で室内側ハンドル４１の後側に突出するように設けられている。
【００４０】
レバー側取付部６０の下部には、横長の逃げ孔６１が穿設され、この逃げ孔６１に室内側ラッチバー４５の回転軸５８の一端部が遊嵌されている。レバー側取付部６０には、前記レバー側軸孔と逃げ孔６１の間に、回転軸５７，５８と平行を成すように軸状部６２が挿着されており、この軸状部６２の両端部は通孔６３に遊嵌されている。
【００４１】
室内側ラッチバー４５は、縦長で平面視コの字状のラッチバー側取付部６４と、このラッチバー側取付部６４の上部から後方に向かって延設される横長板形状の突起片６５と、を備えている。
【００４２】
ラッチバー側取付部６０の下部には、ラッチバー側軸孔（図示省略）が設けられ、このラッチバー側軸孔に室内側ラッチバー４５の回転軸５８が貫挿されている。ラッチバー側取付部６０の前記ラッチバー軸孔の上方には、軸状部６２に係合可能な挿通孔６６が穿設され、この挿通孔６６に軸状部６２の両端部が遊挿されている。これにより、室内側ラッチバー４５は室内側レバー４４の回転に伴って、回転軸５７を中心として前後方向に回転可能な状態で室内側ハンドル４１に支持される。
【００４３】
ラッチバー側取付部６０の内部には収容空間６７が形成され、この収容空間６７にはねじりコイルバネ６８が収容されている。ねじりコイルバネ６８は、室内側レバー４４の回転軸５７の外周に巻回されており、室内側レバー４４を前側に付勢している。突起片６５は、室内側ブラケット４３の後面板５２に形成されたブラケット挿通孔５６に挿通されて扉２内に挿入されている。
【００４４】
次に、図１０を参照しながら、ラッチ錠１のうち、扉２の内部に収納される部材について説明する。なお、説明の便のため、図１０における左側を扉２の内部に収納された部材の前側（正面側）とし、図１０における右側を扉２の内部に収納された部材の後側（背面側）とする。
【００４５】
図１０に示されるように、扉２の内部には、扉２の木口１００に沿って設置される錠ケース１０１と、錠ケース１０１の前端に配置されるラッチボルト１０２と、ラッチボルト１０２の後上方と後下方に配置される上下一対の係止片１０３、１０４と、各係止片１０３、１０４の後方に配置される一対の作動片１０５、１０６と、が設けられている。
【００４６】
錠ケース１０１の前端は錠ケース取付板１０７に固定され、錠ケース取付板１０７は固定ネジ１０８を介して扉２の木口１００に固定されている。各錠ケース１０１の前部には、ラッチボルト装着部１０９が形成され、ラッチボルト装着部１０９の前面にはラッチボルト挿通孔１１０が前後方向に設けられている。ラッチボルト装着部１０９の上部と下部には、挿入開口部１１１が形成されている。
【００４７】
ラッチボルト１０２は、錠ケース１０１のラッチボルト装着部１０９に水平方向回転可能に装着されており、この水平方向の回転に伴って扉２の木口１００に対して進退するようになっている。ラッチボルト１０２の前側部分は、ラッチボルト挿通孔１１０を介して扉２の木口１００の前方に突出しており、扉枠等の固定部材１１２に設けられたストライク１１３に進入している。これにより、固定部材１１２に対する扉２の閉止状態（仮締まり状態）が保持されている。
【００４８】
ラッチボルト１０２の後面にはバネ受け部１１４が設けられており、このバネ受け部１１４とラッチボルト装着部１０９との間に介装されるコイルバネ１１５によって、ラッチボルト１０２が突出方向（本実施形態では、前方）に付勢されている。ラッチボルト１０２の外周には鍔部１１６が設けられ、この鍔部１１６がラッチボルト挿通孔１１０の周囲においてラッチボルト装着部１０９に当接している。
【００４９】
各係止片１０３、１０４は、錠ケース１０１内に収容されている。上側の係止片１０３は、その前後方向中央に設けられた第１支点１１７を中心に回転可能となっている。上側の係止片１０３の前端部には、下方に向かって係止突起１１８が設けられ、この係止突起１１８がラッチボルト１０２の鍔部１１６を係止している。上側の係止片１０３の後端部には、上方に向かって被押圧部１１９が突設されている。上側の係止片１０３には、連結腕部１２０が下方に向かって突設され、連結腕部１２０の下端には側面視円形の係合突起１２１が設けられている。
【００５０】
下側の係止片１０４は、その前後方向中央に設けられた第２支点１２２を中心に回転可能となっている。下側の係止片１０４の前端部には、上方に向かって係止突起１２３が設けられ、この係止突起１２３によってラッチボルト１０２の鍔部１１６が係止されている。下側の係止片１０４の後端部には、下方に向かって被押圧部１２４が突設されている。下側の係止片１０４には、連結腕部１２５が上方に向かって突設され、連結腕部１２５の上端には側面視長円形の係合穴１２６が設けられている。この係合穴１２６が上側の係止片１０３の係合突起１２１と係合することで、リンク１２７が形成されている。第２支点１２２の周りには付勢バネ１２８が巻回され、この付勢バネ１２８によって、各係止片１０３、１０４がラッチボルト１０２を係止する姿勢（図１０の実線参照）に付勢されている。
【００５１】
各作動片１０５，１０６は、上下動可能な状態で錠ケース１０１内に収容されている。一方の作動片１０５の上端には、上側の係止片１０３の被押圧部１１９と当接する押圧部１２９が設けられている。一方の作動片１０５の下端には、各ラッチバー７，４５と当接する当接部１３０が設けられている。他方の作動片１０６の下端には、下側の係止片１０４の被押圧部１２４と当接する押圧部１３１が設けられている。他方の作動片１０６の上端には、当接部１３２が設けられている。
【００５２】
次に、図１、２、及び図１０を参照しながら、本発明の実施の形態に係るラッチ錠１の作用について説明する。
まず、室外側から扉２を開放する場合のラッチ錠１の作用について説明する。
【００５３】
扉２が閉止され、ねじりコイルバネ２７の付勢力によって室外側レバー６が外壁面３側に付勢されている状態（図１の左側の実線参照）から、室外側ハンドル４を把持して室外側レバー６を牽引すると、図１の左側において二点鎖線で示すように、室外側レバー６が回転軸１８を中心に回転し、室外側レバー６の軸状部２２が挿通孔２３の外周側面を押圧することにより、室外側ラッチバー７が回転軸１７を中心に回転し、室外側ラッチバー７の突起片２５が下方に移動する。
【００５４】
このように室外側ラッチバー７の突起片２５が下方に移動すると、突起片２５によって一方の作動片１０５の当接部１３０が下方に押圧され、図１０に二点鎖線で示されるように、一方の作動片１０５が下方に移動する。これに伴って、一方の作動片１０５の押圧部１２９が上側の係止片１０３の被押圧部１１９を下方に押圧し、付勢バネ１２８の付勢力に抗して上側の係止片１０３が回転する。この回転により、上側の係止片１０３の係止突起１１８によるラッチボルト１０２の係止が解除される。また、上側の係止片１０３の回転に伴って、上側の係止片１０３とリンク１２７を介して接続された下側の係止片１０４も、付勢バネ１２８の付勢力に抗して回転し、下側の係止片１０４の係止突起１２３によるラッチボルト１０２の係止が解除される。これにより、ラッチボルト１０２が扉２の木口１００から退避可能となる。
【００５５】
次に、室内側から扉２を開放する場合のラッチ錠１の作用について説明する。
【００５６】
扉２が閉止され、ねじりコイルバネ６８の付勢力によって室内側レバー４４が反内壁面４０側に付勢されている状態（図１の右側の実線参照）から、室内側ハンドル４４を把持して室内側レバー４４を押圧すると、図１の右側において二点鎖線で示すように、室内側レバー４４が回転軸５７を中心に回転し、室内側レバー４４の軸状部６２が挿通孔６６の外周側面を押圧することにより、室内側ラッチバー４５が回転軸５８を中心に回転し、室内側ラッチバー４５の突起片６５が下方に移動する。
【００５７】
このように室内側ラッチバー４４の突起片６５が下方に移動すると、突起片６５によって一方の作動片１０６の当接部１３２が下方に押圧され、図１０に二点鎖線で示されるように、一方の作動片１０６が下方に移動する。以降の動作は、上記した室外側から操作した場合と同様であるため、詳細な説明は省略するが、上側の係止片１０３の係止突起１１８及び下側の係止片１０４の係止突起１２３によるラッチボルト１０２の係止が解除され、ラッチボルト１０２が扉２の木口１００から退避可能となる。
【００５８】
上記したように本発明の実施の形態に係るラッチ錠１のハンドル４，４１によれば、グリップ１０，８３の上端部が第１台座８，８０と一体に設けられ、グリップ１０，８３の下端部が第２台座９，８１に軸支されており、グリップ１０，８３は二分割構造となっている。そのため、扉２の反りやハンドル４，４１の取り付け時の締め付け等によって壁面３，４０が変形していたり或いは扉２やハンドル４，４１に製造誤差が生じていたりした不具合があったとしても、グリップ１０，８３の下端部が第２台座９，８１に軸支される構造によってその不具合を吸収することができるため、第１台座８，８０や第２台座９，８１が壁面３，４０から浮き上がった状態で固定されるのを防止することができる。したがって、施工性や見栄えを向上させることができる。
【００５９】
なお、上記した本発明の各実施の形態の説明は、本発明に係るラッチ錠１のハンドル４，４１における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６０】
１      ラッチ錠
２      扉
３      外壁面
４      室外側ハンドル
６      室外側レバー
７      室外側ラッチバー
８      第１台座
９      第２台座
１０    グリップ
１１    レバー挿入部
１８    回転軸
３５    操作空間
３２    係合凸部
３８    矩形孔（係合凹部）
７７    横軸
４０    内壁面
４１    室内側ハンドル
６４    室内側レバー
４５    室内側ラッチバー
５７    回転軸
８０    第１台座
８１    第２台座
８３    グリップ
８４    レバー挿入部
８２    操作空間
８５    矩形孔（係合凹部）
８６    係合凸部
８７    横軸
１０２  ラッチボルト
１０５  作動片
１０６  作動片
【図１】
2017179702.tif 000003
【図２】
2017179702.tif 000004
【図３】
2017179702.tif 000005
【図４】
2017179702.tif 000006
【図５】
2017179702.tif 000007
【図６】
2017179702.tif 000008
【図７】
2017179702.tif 000009
【図８】
2017179702.tif 000010
【図９】
2017179702.tif 000011
【図１０】
2017179702.tif 000012